(57)【要約】【課題】ＣＳＭＡ／ＣＡ方式を用いたパケット交換システムにおいて、ＴＤＭＡ方式のガードタイム期間に相当する期間を適切に判断し、送受信装置内で生じるＤＣオフセット値を確実に求め、誤り率特性の劣化を少なくする。【解決手段】送信完了後、アナログ回路１および直交検波回路２への電源をオフとし、キャリア検出信号Ｃ２を強制的にオンとし、直ちに送受信装置１００内で生じるＤＣオフセット値を求める。受信完了後、ＳＩＦＳ時間経過した後に、送信イネーブル信号（送信ステータス）Ｃ１およびキャリア検出信号Ｃ２をチェックし、送信動作中およびキャリア検出中の何れでもない場合に、送受信装置１００内でのＤＣオフセット値を求める。【選択図】  図１
2006254289.tif 000002
【特許請求の範囲】
【請求項１】
送受信装置内で生じるＤＣオフセット値を求め、この求めたＤＣオフセット値を保持し、受信データから除去するＤＣオフセット除去制御方法において、
前記送受信装置の送信完了を契機として前記ＤＣオフセット値を求めるステップを有することを特徴とするＤＣオフセット除去制御方法。
【請求項２】
送受信装置内で生じるＤＣオフセット値を求め、この求めたＤＣオフセット値を保持し、受信データから除去するＤＣオフセット除去制御方法において、
前記送受信装置の受信完了を契機として前記ＤＣオフセット値を求めるステップを有することを特徴とするＤＣオフセット除去制御方法。
【請求項３】
送受信装置内で生じるＤＣオフセット値を求め、この求めたＤＣオフセット値を保持し、受信データから除去するＤＣオフセット除去制御方法において、
前記送受信装置の送信完了を契機として前記ＤＣオフセット値を求めるステップと、
前記送受信装置の受信完了を契機として前記ＤＣオフセット値を求めるステップと
を有することを特徴とするＤＣオフセット除去制御方法。
【請求項４】
請求項１又は３に記載されたＤＣオフセット除去制御方法において、
前記送受信装置の送信完了を契機としてＤＣオフセット値を求めるステップは、送信完了後、直ちに前記ＤＣオフセット値を求める
ことを特徴とするＤＣオフセット除去制御方法。
【請求項５】
請求項２又は３に記載されたＤＣオフセット除去制御方法において、
前記送受信装置の受信完了を契機としてＤＣオフセット値を求めるステップは、データの受信完了からＡＣＫ応答を返すまでの待ち時間として予め定められたＳＩＦＳ時間経過した後、前記送受信装置における送信ステータスおよびキャリア検出信号をチェックし、前記送受信装置が送信動作中およびキャリア検出中の何れでもない場合に前記ＤＣオフセット値を求める
ことを特徴とするＤＣオフセット除去制御方法。
【請求項６】
装置内で生じるＤＣオフセット値を求め、この求めたＤＣオフセット値を保持し、受信データから除去するＤＣオフセット除去制御機能を備えた送受信装置において、
送信完了を契機として前記ＤＣオフセット値を求める手段を有することを特徴とする送受信装置。
【請求項７】
装置内で生じるＤＣオフセット値を求め、この求めたＤＣオフセット値を保持し、受信データから除去するＤＣオフセット除去制御機能を備えた送受信装置において、
受信完了を契機として前記ＤＣオフセット値を求める手段を有することを特徴とする送受信装置。
【請求項８】
装置内で生じるＤＣオフセット値を求め、この求めたＤＣオフセット値を保持し、受信データから除去するＤＣオフセット除去制御機能を備えた送受信装置において、
送信完了を契機として前記ＤＣオフセット値を求める手段と、
受信完了を契機として前記ＤＣオフセット値を求める手段と
を有することを特徴とする送受信装置。
【請求項９】
請求項６又は８に記載された送受信装置において、
前記送信完了を契機としてＤＣオフセット値を求める手段は、データの送信完了後、直ちに前記ＤＣオフセット値を求める
ことを特徴とする送受信装置。
【請求項１０】
請求項７又は８に記載された送受信装置において、
前記受信完了を契機としてＤＣオフセット値を求める手段は、データの受信完了からＡＣＫ応答を返すまでの待ち時間として予め定められたＳＩＦＳ時間経過した後、装置内の送信ステータスおよびキャリア検出信号をチェックし、当該装置が送信動作中およびキャリア検出中の何れでもない場合に前記ＤＣオフセット値を求める
ことを特徴とする送受信装置。
【発明の詳細な説明】
【技術分野】
【０００１】
この発明は、送受信装置内で生じるＤＣオフセット値を求め、この求めたＤＣオフセット値を保持し、受信データから除去するＤＣオフセット除去制御方法および送受信装置に関するものである。
【背景技術】
【０００２】
従来より、無線により送られてくるデータを受信する受信装置として、ＤＣオフセット除去回路を装置内に設けた受信装置がある。この受信装置では、ＤＣオフセット除去回路によって、受信データに含まれるＤＣオフセット値を除去し、誤り率特性の劣化を少なくするようにしている（例えば、特許文献１〜５参照）。
【０００３】
特許文献１〜５において、本願のＤＣオフセット除去制御方法および送受信装置に最も近いものは、特許文献５に示された受信機である。この受信機では、送受信バースト間のガードタイム期間中に受信機内で生じるＤＣオフセット値を求め、このＤＣオフセット値をＤＣオフセット除去回路に保持させ、受信データから除去するようにしている。
【０００４】
【特許文献１】特開２００１−１９７１３３号公報
【特許文献２】特開２００２−９４３４６号公報
【特許文献３】特開２００３−１２５０１４号公報
【特許文献４】特開平１０−２８５２３２号公報
【特許文献５】特許第３２０４２２４号公報
【発明の開示】
【発明が解決しようとする課題】
【０００５】
しかしながら、特許文献５に示された技術は、時分割多重アクセス（ＴＤＭＡ）方式の信号を受信する受信機に関するものであり、この技術をＣＳＭＡ／ＣＡ（Carrier Sense Multiple Access with Collision Avoidance）を用いたパケット交換システムの送受信装置へそのまま適用することはできない。
【０００６】
すなわち、ＴＤＭＡ方式を用いたシステムの受信機の場合、入力されるフレーム同期信号に基づいて、送受信バースト間のガードタイム期間を判断するようにしている。しかし、ＣＳＭＡ／ＣＡ方式を用いたパケット交換システムの送受信装置では、データの送信に先立ってキャリアの使用状態を確認（キャリアセンス）し、「未使用（アイドル）」であれば、フレームの優先度に応じたフレーム送信間隔後にデータを送信し、「使用中（ビジー）」であればアイドルになるまでデータの送信を延期するという通信方式をとっており、フレーム同期信号がないので、ＴＤＭＡ方式のガードタイム期間に相当する期間を判断することができない。
【０００７】
本発明は、このような課題を解決するためになされたもので、その目的とするところは、ＣＳＭＡ／ＣＡ方式を用いたパケット交換システムにおいて、ＴＤＭＡ方式のガードタイム期間に相当する期間を的確に判断し、送受信装置内で生じるＤＣオフセット値を確実に求め、誤り率特性の劣化を少なくすることができるＤＣオフセット除去制御方法および送受信装置を提供することにある。
【課題を解決するための手段】
【０００８】
このような目的を達成するために本発明は、送受信装置内で生じるＤＣオフセット値を求め、この求めたＤＣオフセット値を保持し、受信データから除去するＤＣオフセット除去制御方法において、送受信装置の送信完了を契機としてＤＣオフセット値を求めるようにしたものである。
例えば、ＣＳＭＡ／ＣＡ方式を用いたパケット交換システムの送受信装置では、キャリアセンスを行ってデータを送信するので、またデータを受信すると予め定められたＳＩＦＳ時間（例えば、１６μｓ）経過しなければＡＣＫ応答を返さないので、送信を完了した直後は、送信も受信も行われない状態が生じる。したがって、送信完了を契機とし、直ちにＤＣオフセット値を求めるようにすれば、送受信装置内で生じるＤＣオフセット値を確実に求めることが可能となる。この場合、送信完了後、ＳＩＦＳ時間内にＤＣオフセット値を求めるようにするとよい。
【０００９】
また、本発明は、送受信装置内で生じるＤＣオフセット値を求め、この求めたＤＣオフセット値を保持し、受信データから除去するＤＣオフセット除去制御方法において、送受信装置の受信完了を契機としてＤＣオフセット値を求めるようにしたものである。
例えば、ＣＳＭＡ／ＣＡ方式を用いたパケット交換システムの送受信装置では、キャリアセンスを行ってデータを送信するので、またデータを受信すると予め定められたＳＩＦＳ時間（例えば、１６μｓ）経過しなければＡＣＫ応答を返さないので、受信を完了した直後は、送信も受信も行われない状態が生じる。したがって、受信完了を契機とし、直ちにＤＣオフセット値を求めるようにすれば、送受信装置内で生じるＤＣオフセット値を確実に求めることが可能となる。この場合、受信完了後、ＳＩＦＳ時間内にＤＣオフセット値を求めるようにするとよい。
【００１０】
なお、受信完了を契機としてＤＣオフセット値を求める場合、受信完了からＳＩＦＳ時間経過した後、装置内の送信ステータスおよびキャリア検出信号をチェックし、送信動作中およびキャリア検出中の何れでもない場合にＤＣオフセット値を求めるようにすれば、ＤＣオフセット値を求めるために必要な時間がＳＩＦＳ時間以上かかるような場合、送信動作や受信動作と衝突することなく確実に送受信装置内で生じるＤＣオフセット値を求めることが可能となる。
【００１１】
また、本発明では、送信完了を契機としてＤＣオフセット値を求めたり、受信完了を契機としてＤＣオフセット値を求めたりするが、その何れか一方だけを行うようにしてもよく、その両方を組み合わせて行うようにしてもよい。すなわち、送信完了時のみＤＣオフセット値を求めたり、受信完了時のみＤＣオフセット値を求めたり、送信完了時と受信完了時の両方でＤＣオフセット値を求めたりしてもよい。
【００１２】
また、本発明において、送信完了や受信完了を契機としてＤＣオフセット値を求める場合、毎回（送信完了毎、受信完了毎）、ＤＣオフセット値を求めるようにしてもいが、所定回数毎に（一定の頻度で）、ＤＣオフセット値を求めるようにしてもよい。
【発明の効果】
【００１３】
本発明によれば、送信完了を契機としてＤＣオフセット値を求めるようにしたので、また受信完了を契機としてＤＣオフセット値を求めるようにしたので、ＣＳＭＡ／ＣＡ方式を用いたパケット交換システムにおいて、送信も受信も行われていない状態で、すなわちＴＤＭＡ方式のガードタイム期間に相当する期間に、確実に送受信装置内で生じるＤＣオフセット値を求めることができるようになり、誤り率特性の劣化を少なくすることができるようになる。
【発明を実施するための最良の形態】
【００１４】
以下、本発明を図面に基づいて詳細に説明する。図１は本発明に係るＤＣオフセット除去制御方法を適用したＣＳＭＡ／ＣＡ方式を用いたパケット交換システムの送受信装置の一実施の形態の要部を示すブロック図である。
【００１５】
この送受信装置１００は、アナログ回路１と、直交検波回路２と、Ａ／Ｄ変換回路３と、ＤＣオフセット除去回路４と、ローパスフィルタ（ＬＰＦ）５と、受信電力検出回路６と、キャリア検出回路７と、受信制御回路８と、ＳＩＦＳタイマ９と、復調回路１０と、復号回路１１と、データ分離回路１２と、ＤＣオフセット制御回路１３と、送信機１４と、Ｄ／Ａ変換回路１５と、送信制御回路１６とを備えている。
【００１６】
この送受信装置１００において、本実施の形態の特徴とする回路は、ＤＣオフセット除去回路４とＤＣオフセット制御回路１３であり、ＤＣオフセット除去回路４は、ＤＣオフセット値を求める機能と、求めたＤＣオフセット値を保持する機能と、保持したＤＣオフセット値を受信データ（Ａ／Ｄ変換回路３を介する受信信号）から除去する機能を有している。ＤＣオフセット制御回路１３は、送信制御回路１６からの送信イネーブル信号（送信ステータス）Ｃ１と、キャリア検出回路７からのキャリア検出信号Ｃ２と、ＳＩＦＳタイマ９からの計時信号Ｃ４を入力とし、アナログ回路１および直交検波回路２への電源を強制的にオフとする機能と、ＤＣオフセット除去回路４におけるＤＣオフセット値の検出保持動作（ＤＣオフセット値を求めて保持する動作）を開始させる機能と、キャリア検出回路７から出力されるキャリア検出信号Ｃ２を強制的にオン（「０」→「１」）とする機能を有している。
【００１７】
図２は送受信装置１００の全体の動作を示すフローチャートである。以下、この図２を用いて、ＤＣオフセット制御回路１３の機能の詳細について説明する。
【００１８】
〔送信完了時〕
ＤＣオフセット制御回路１３は、Ｄ／Ａ変換回路１５を介する送信機１４からの送信が完了し、送信制御回路１６からの送信イネーブル信号Ｃ１がオフ（「１」→「０」）となると（ステップ２０１のＹＥＳ）、アナログ回路１および直交検波回路２へ制御信号Ｃ５を送り、アナログ回路１および直交検波回路２への電源をオフとする（ステップ２０２、２０３）。これにより、Ａ／Ｄ変換回路３への信号の入力が断たれる。
【００１９】
次に、ＤＣオフセット制御回路１３は、キャリア検出回路７へ制御信号Ｃ６を送り、キャリア検出回路７からのキャリア検出信号Ｃ２を強制的にオンとしたうえで（ステップ２０４）、ＤＣオフセット除去回路４へ制御信号Ｃ３を送り、ＤＣオフセット値の検出保持動作を開始させる（ステップ２０５）。すなわち、擬似的にキャリアが検出されている状態とし、この状態で現れるＡ／Ｄ変換回路３からの出力を送受信装置１００内で生じるＤＣオフセット値として求め、このＤＣオフセット値をＤＣオフセット除去回路４に保持させる。
【００２０】
ＤＣオフセット除去回路４におけるＤＣオフセット値の検出保持動作が完了すると（ステップ２０６）、ＤＣオフセット制御回路１３は、キャリア検出回路７からのキャリア検出信号Ｃ２の強制オンを解除する（ステップ２０７）。また、アナログ回路１および直交検波回路２への電源をオンに戻す（ステップ２０８，２０９）。
【００２１】
〔受信完了時〕
受信制御回路８は、受信完了を検出すると（ステップ２１０のＹＥＳ）、ＳＩＦＳタイマ９へ計時動作の開始指令を送る。これにより、ＳＩＦＳタイマ９がＳＩＦＳ時間（この例では、１６μｓ）の計時を開始し（ステップ２１１）、ＳＩＦＳタイマ９からの計時信号Ｃ４が「０」から「１」へと立ち上がる。
【００２２】
ここで、ＳＩＦＳ時間とは、データ受信後、そのデータの送信元にＡＣＫ応答（ＡＣＫフレーム）を返すまでの待ち時間であり、データ（データフレーム）を送信する場合に行われるキャリアセンスの時間よりも短い時間として設定される。なお、ＣＳＭＡ／ＣＡ方式では、データフレームを送信する場合にキャリアセンスを行うが、ＡＣＫフレームを送る場合にはキャリアセンスは行わない。
【００２３】
ＳＩＦＳタイマ９がＳＩＦＳ時間の計時を終了すると（ステップ２１２）、ＳＩＦＳタイマ９からの計時信号Ｃ４が「１」から「０」へと立ち下がる。ＳＩＦＳタイマ９からの計時信号Ｃ４が「０」へと立ち下がると、送信制御回路１６は、受信したフレームがデータフレームであった場合、送信機１４へ指示を出し、送信元にＡＣＫフレームを返送する。なお、この場合、送信制御回路１６からの送信イネーブル信号Ｃ１は、ＳＩＦＳタイマ９からの計時信号Ｃ４が立ち下がるよりも前に、すなわちＳＩＦＳタイマ９がＳＩＦＳ時間の計時を終了するよりも前に、オン（「０」→「１」）となる。送信イネーブル信号Ｃ１がオンである間は送受信装置１００が送信動作中であることを意味する。
【００２４】
一方、ＤＣオフセット制御回路１３は、ＳＩＦＳタイマ９からの計時信号Ｃ４が「０」レベルへ立ち下がると、送信制御回路１６からの送信イネーブル信号Ｃ１およびキャリア検出回路７からのキャリア検出信号Ｃ２をチェックする（ステップ２１３，２１４）。ここで、送信イネーブル信号Ｃ１およびキャリア検出信号Ｃ２の何れもがオフであれば（ステップ２１３、２１４が共にＹＥＳ）、すなわち送受信装置１００が送信動作中でもなく、キャリア検出中でもなければ、送信完了時の場合と同様にして、送信アナログ回路１および直交検波回路２への電源をオフとし（ステップ２０２、２０３）、キャリア検出回路７からのキャリア検出信号Ｃ２を強制的にオンとしたうえで（ステップ２０４）、ＤＣオフセット除去回路４におけるＤＣオフセット値の検出保持動作を開始させる（ステップ２０５）。そして、ＤＣオフセット除去回路４におけるＤＣオフセット値の検出保持動作の完了後（ステップ２０６）、キャリア検出信号Ｃ２の強制オンを解除する（ステップ２０７）。また、アナログ回路１および直交検波回路２への電源をオンに戻す（ステップ２０８，２０９）。
【００２５】
〔送信完了時の動作例〕
図３を用いて送信完了時の動作例について説明する。同図（ａ）は媒体（空気）上を伝播する送受信フレームの占有時間、同図（ｂ）は送信イネーブル信号Ｃ１、同図（ｃ）はキャリア検出信号Ｃ２、同図（ｄ）はＤＣオフセット除去回路４への制御信号（以下、ＤＣオフセット除去回路イネーブル信号と呼ぶ）Ｃ３のタイムチャートを示す。なお、この例において、送信する信号は、そのフレームのタイプを問わない。すなわち、送信フレームは、データフレームである場合もあるし、ＡＣＫフレームである場合もある。
【００２６】
送信が完了し（図３（ａ）のｔ３点）、送信制御回路１６からの送信イネーブル信号Ｃ１がオフ（「１」→「０」）となると（図３（ｂ）のｔ４点）、アナログ回路１および直交検波回路２への電源がオフとされると共に、キャリア検出回路７からのキャリア検出信号Ｃ２が強制的にオン（「０」→「１」）とされる（図３（ｃ）のｔ４点）。
【００２７】
この後、ＤＣオフセット除去回路イネーブル信号Ｃ３がオン（「０」→「１」）とされ（図３（ｄ）のｔ５点）、ＤＣオフセット除去回路４におけるＤＣオフセット値の検出保持動作が開始される。ＤＣオフセット値の検出保持動作の完了後は、ＤＣオフセット除去回路イネーブル信号Ｃ３がオフとなり（図３（ｄ）のｔ６点）、キャリア検出信号Ｃ２の強制オンが解除されると共に（図３（ｃ）のｔ７点）、アナログ回路１および直交検波回路２への電源がオンに戻される。なお、この場合、送信を完了して、キャリア検出信号の強制オンをオフに戻すまでの時間Ｔ１（ＤＣオフセット値の検出保持動作に要する時間）は、ＳＩＦＳ時間内とする。
【００２８】
〔受信完了時の動作例１〕
図４を用いて受信完了時の動作例１について説明する。同図（ａ）は媒体上を伝播する送受信フレームの占有時間、同図（ｂ）は送信イネーブル信号Ｃ１、同図（ｃ）はキャリア検出信号Ｃ２、同図（ｄ）はＤＣオフセット除去回路イネーブル信号Ｃ３、同図（ｅ）はＳＩＦＳタイマ９からの計時信号Ｃ４のタイムチャートを示す。この例では、受信される信号をデータフレームとしている。
【００２９】
データフレームの受信が完了すると（図４（ａ）のｔ２点）、ＳＩＦＳタイマ９がＳＩＦＳ時間の計時を開始する（図４（ｅ）のｔ２点）。そして、このＳＩＦＳ時間の経過後（図４（ｅ）のｔ３点）、ＤＣオフセット制御回路１３が送信イネーブル信号Ｃ１とキャリア検出信号Ｃ２をチェックする。この例では、受信したデータフレームに対してＡＣＫフレームを返しているので、ＳＩＦＳ時間経過した時点での送信イネーブル信号Ｃ１はオンとされている。この場合、ＤＣオフセット制御回路１３は、送受信装置１００が送信動作中にあると判断し、ＤＣオフセット除去回路イネーブル信号Ｃ３をオンとしない。このため、ＤＣオフセット除去回路４は、ＤＣオフセット値の検出保持動作を行わない。
【００３０】
〔受信完了時の動作例２〕
図５に受信完了時の動作例２のタイムチャートを示す。この動作例２では、受信される信号をＡＣＫフレームとしている。ＡＣＫフレームの受信が完了すると（図４（ａ）のｔ２点）、ＳＩＦＳタイマ９がＳＩＦＳ時間の計時を開始する（図４（ｅ）のｔ２点）。そして、このＳＩＦＳ時間の経過後（図４（ｅ）のｔ５点）、ＤＣオフセット制御回路１３が送信イネーブル信号Ｃ１とキャリア検出信号Ｃ２をチェックする。この例では、ＡＣＫフレームの受信後、すぐにデータフレームを送っており、ＳＩＦＳ時間経過した時点では送信イネーブル信号Ｃ１がオンとされている。したがって、この場合、ＤＣオフセット制御回路１３は、送受信装置１００が送信動作中にあると判断し、ＤＣオフセット除去回路イネーブル信号Ｃ３をオンとしない。このため、ＤＣオフセット除去回路４は、ＤＣオフセット値の検出保持動作を行わない。
【００３１】
〔受信完了時の動作例３〕
図６に受信完了時の動作例３のタイムチャートを示す。この動作例３では、受信される信号をＡＣＫフレームとしている。ＡＣＫフレームの受信が完了すると（図６（ａ）のｔ２点）、ＳＩＦＳタイマ９がＳＩＦＳ時間の計時を開始する（図６（ｅ）のｔ２点）。そして、このＳＩＦＳ時間の経過後（図６（ｅ）のｔ３点）、ＤＣオフセット制御回路１３が送信イネーブル信号Ｃ１とキャリア検出信号Ｃ２をチェックする。この例では、ＡＣＫフレームの受信後、送信も受信も行っていない。したがって、この場合、ＤＣオフセット制御回路１３は、キャリア検出信号Ｃ２を強制的にオンとしたうえ（図６（ｃ）のｔ３点）、ＤＣオフセット除去回路イネーブル信号Ｃ３をオンとし（図６（ｄ）のｔ４点）、ＤＣオフセット除去回路４にＤＣオフセット値の検出保持動作を行わせる。
【００３２】
この受信完了時の動作例１，２，３から分かるように、本実施の形態では、受信完了後、ＤＣオフセット値の検出保持動作に要する時間がＳＩＦＳ時間以上かかる場合を考慮に入れ、ＳＩＦＳ時間経過した時点で送信イネーブル信号Ｃ１とキャリア検出信号Ｃ２をチェックし、送信イネーブル信号Ｃ１およびキャリア検出信号Ｃ２の何れもがオンでない場合に、ＤＣオフセット値の検出保持動作を行わせるようにしている。
【００３３】
すなわち、受信完了後、ＳＩＦＳ時間内でＤＣオフセット値の検出保持動作が完了するのであれば、送信完了後の場合と同様に、直ちにＤＣオフセット値の検出保持動作を開始させるようにしてもよい。しかし、受信時には処理遅延などにより、受信完了後、ＳＩＦＳ時間内でＤＣオフセット値の検出保持動作が完了せず、ＤＣオフセット値の検出保持動作と送信動作や受信動作とが衝突する虞れがある。このような場合を想定し、本実施の形態では、ＳＩＦＳ時間経過した時点で送信イネーブル信号Ｃ１とキャリア検出信号Ｃ２をチェックし、送信動作中でもなく、キャリア検出中（受信動作中）でもない場合に、ＤＣオフセット値の検出保持動作を行わせるようにしている。これにより、送信動作や受信動作と衝突することなく、確実に送受信装置１００内で生じるＤＣオフセット値を求めることができる。
【００３４】
なお、受信完了後、ＳＩＦＳ時間内でＤＣオフセット値の検出保持動作を必ず完了させることができるのであれば、送信完了後の場合と同様に、直ちにＤＣオフセット値の検出保持動作を開始させるようにしてもよい。
また、本実施の形態では、送信完了時と受信完了時の両方でＤＣオフセット値を求めるようにしているが、送信完了時のみ求めるようにしてもよく、受信完了時のみ求めるようにしてもよい。
また、送信完了時や受信完了時にＤＣオフセット値を毎回求めるのではなく、所定回数送信する毎に、また所定回数受信する毎に、ＤＣオフセット値を求めるようにしてもよい。すなわち、一定の頻度で、ＤＣオフセット値を求めるようにしてもよい。
【図面の簡単な説明】
【００３５】
【図１】本発明に係るＤＣオフセット除去制御方法を適用したＣＳＭＡ／ＣＡ方式を用いたパケット交換システムの送受信装置の一実施の形態の要部を示すブロック図である。
【図２】この送受信装置の全体の動作を示すフローチャートである。
【図３】送信完了時の動作例について説明するためのタイムチャートである。
【図４】受信完了時の動作例１について説明するためのタイムチャートである。
【図５】受信完了時の動作例２について説明するためのタイムチャートである。
【図６】受信完了時の動作例３について説明するためのタイムチャートである。
【符号の説明】
【００３６】
１…アナログ回路、２…直交検波回路、３…Ａ／Ｄ変換回路、４…ＤＣオフセット除去回路、５…ローパスフィルタ（ＬＰＦ）、６…受信電力検出回路、７…キャリア検出回路８…受信制御回路、９…ＳＩＦＳタイマ、１０…復調回路、１１…復号回路、１２…データ分離回路、１３…ＤＣオフセット制御回路、１４…送信機、１５…Ｄ／Ａ変換回路、１６…送信制御回路、１００…送受信装置。
【図１】
2006254289.tif 000003
【図２】
2006254289.tif 000004
【図３】
2006254289.tif 000005
【図４】
2006254289.tif 000006
【図５】
2006254289.tif 000007
【図６】
2006254289.tif 000008